(57)【要約】【課題】ルーレットゲーム中におけるカジノチップのベットを常時監視して偽造カジノチップの使用による不正行為を防止することができる、カジノチップの不正防止監視システムを得る。【解決手段】各カジノチップに当該カジノ固有のＩＤ情報を付与した不正検出手段を有したカジノチップを使用し、レイアウトの場の裏面に設置したＩＤ読み取り装置によりベットされた全てのカジノチップのＩＤ情報を常時読み取り監視し、更にレイアウトの場の裏面に設置した計量装置によりベットされた全てのカジノチップの数量を計数し、該数量と前記ＩＤ情報から得られたカジノチップの数量との比較を行い、異なっている場合には偽造カジノチップ使用による不正が行われたと判断してディーラーに通知することにより不正防止を行うことができるシステムとする。【選択図】　　　　図１
2004102953.tif 000002
【特許請求の範囲】
【請求項１】
各カジノチップに当該カジノ固有のＩＤ情報を付与した不正検出手段を有したカジノチップを使用し、レイアウトの場の裏面に設置したＩＤ読み取り装置によりベットされた全てのカジノチップのＩＤ情報を常時読み取り監視し、更にレイアウトの場の裏面に設置した計量装置によりベットされた全てのカジノチップの数量を計数し、該数量と前記ＩＤ情報から得られたカジノチップの数量との比較を行い、異なっている場合には偽造カジノチップ使用による不正が行われたと判断してディーラーに通知することにより不正防止を行うことができることを特徴とした、カジノチップの不正防止監視システム。
【請求項２】
不正検出手段を有するカジノチップの不正検出手段として、カジノチップの本体となるグラスファイバー又は合成樹脂板の中央内部に、該カジノチップの価値及び色等を特定するための下位ビットとカジノチップの固有番号及びカジノ場等を特定するための上位ビットから成るＩＤ情報を有した超小型無線ＩＤタグチップ及びアンテナを埋め込んだものであることを特徴とした、請求項１に記載のカジノチップの不正防止監視システム。
【請求項３】
ＩＤ読み取り装置として、Ｘ側スキャンドライバのＸ側送信アンテナよりスキャン電波を発信させ、Ｙ側スキャンドライバのＹ側送信アンテナよりスキャン電波を発信させ、ＸＹのクロスポイントにおいてレイアウトに垂直に発生したフラックスによる電波によりカジノチップ内の超小型無線ＩＤタグチップをアクティブにしてＩＤ情報を読み取ることを特徴とした、請求項１に記載のカジノチップの不正防止監視システム。
【請求項４】
計量装置として、ベットしない周辺部を除いたレイアウトの場全体を半導体圧力センサー等による電子計量器としたことを特徴とした、請求項１に記載のカジノチップの不正防止監視システム。
【請求項５】
端末サーバにＣＤ−ＲやＤＶＤ−Ｒ等のＷＯＲＭ型記録媒体によりルーレットゲーム中におけるカジノチップのＩＤ情報や数量データを逐次記録するようにしたことを特徴とした、請求項１に記載のカジノチップの不正防止監視システム。
【発明の詳細な説明】
【０００１】
【発明の属する技術分野】
本発明は、カジノゲームにおいて、特にルーレットゲーム中における偽造カジノチップのベットを常時監視して不正防止を行うことができる、カジノチップの不正防止監視システムに関するものである。
【０００２】
【従来の技術】
従来、カジノでルーレットゲームを行う場合、各子（プレイヤー）はレイアウトの場に１＄，５＄，１０＄等の価値を持ったカジノチップをベットし、該ベットが終了すると親（ディーラー）はルーレット盤を廻してボールを投げ入れる。そして、該ボールがルーレット盤のいずれかのポケットに入った時にその出目の数字とプレイヤーがベットした場の数字や色等を比べ、一致した箇所がある場合すなわちプレイヤーが勝った場合にはその場の掛け率に応じて払い出しが行われる。
【０００３】
該ルーレットゲーム中においてプレイヤーは予め隠し持った偽造カジノチップを本来のカジノチップ中に混入して不正使用することがあったが、巧妙な手口により不正を見つけ出すことは非常に困難であった。
【０００４】
【発明が解決しようとする課題】
これは、ルーレットゲームで使用されるカジノチップの大きさやデザイン及び色は当該カジノにおいて予め決められているが、偽造防止用の特殊加工が施されていないため、サンプルとしてカジノチップを外部に持ち出せば容易に偽造することができることと、巧妙な手口によりいつ混入されたかが分からないといったことによるものである。このため、ルーレットゲーム中において偽造カジノチップの使用を的確に判断できる不正防止システムは実現されていないのが現状である。
【０００５】
本発明は、上記のような課題を解決するために成されたものであり、ルーレットゲーム中におけるカジノチップのベットを常時監視して偽造カジノチップの使用による不正行為を防止することができる、カジノチップの不正防止監視システムを提供することを目的とする。
【０００６】
【課題を解決するための手段】
上記課題を解決するため、本発明のカジノチップの不正防止監視システムにおいては、各カジノチップに当該カジノ固有のＩＤ情報を付与した不正検出手段を有したカジノチップを使用し、レイアウトの場の裏面に設置したＩＤ読み取り装置によりベットされた全てのカジノチップのＩＤ情報を常時読み取り監視し、更にレイアウトの場の裏面に設置した計量装置によりベットされた全てのカジノチップの数量を計数し、該数量と前記ＩＤ情報から得られたカジノチップの数量との比較を行い、異なっている場合には偽造カジノチップ使用による不正が行われたと判断してディーラーに通知することにより不正防止を行うことができるシステムとする。
【０００７】
不正検出手段を有するカジノチップの不正検出手段として、カジノチップの本体となるグラスファイバー又は合成樹脂板の中央内部に、該カジノチップの価値及び色等を特定するための下位ビットとカジノチップの固有番号及びカジノ場等を特定するための上位ビットから成るＩＤ情報を有した超小型無線ＩＤタグチップ及びアンテナを埋め込む。
【０００８】
【発明の実施の形態及び実施例】
本発明の実施の形態及び実施例を図を用いて説明する。まず、本発明のカジノチップの不正防止監視システムにおいては、各カジノチップに当該カジノ固有のＩＤ情報を付与した不正検出手段を有したカジノチップを使用するものとする。図１は本発明のカジノチップの不正防止監視システムにおいて使用する不正検出手段を有したカジノチップの構成図である。
【０００９】
該図は不正検出手段を有するカジノチップの検出手段として、カジノチップ１の本体となるグラスファイバー又は合成樹脂板２の中央内部に、該カジノチップ１の価値及び色等を特定するための下位ビットとカジノチップ１の固有番号及びカジノ場等を特定するための上位ビットから成るＩＤ情報を有した超小型無線ＩＤタグチップ３及びアンテナ４を埋め込んだカジノチップを示している。該超小型無線ＩＤタグチップ３は、外形寸法として２ｍｍ×２ｍｍ以下で厚さは数百ミクロン以下のものが好適である。また、アンテナ４は、カジノチップ１の外周部内に数ターン巻いたループアンテナが好適である。図１のＡ−Ａ断面図では、超小型無線ＩＤタグチップ３及びアンテナ４をグラスファイバー又は合成樹脂板２に直に配設した状態で示しているが、プリント基板上に超小型無線ＩＤタグチップ３及びアンテナ４を配設してカジノチップ１内に埋め込んでも構わない。
【００１０】
図２は超小型無線ＩＤタグチップの回路ブロック図であり、アンテナ４を中継してＩＤ情報を送受信するためのＲＦ回路５と、受信電波を整流して当該超小型無線ＩＤタグチップ３の直流回路電源Ｖｄｄを生成するための整流回路６と、前記ＲＦ回路５のアナログ信号と後段の制御回路８のデジタル信号とをシリアルデータ中継するためのシリアルインターフェース回路７と、カジノチップ１の価値及び色等を特定するための下位ビットとカジノチップ１の固有番号及びカジノ場等を特定するための上位ビットから成るＩＤ情報を記憶させるためのメモリ回路９と、前記シリアルインターフェース回路７やメモリ回路９の制御を行うための制御回路８等にて構成する。
【００１１】
図３は超小型無線ＩＤタグチップのビット数及びビット内容を示した図であり、カジノチップ１を特定するためのＩＤ情報は、カジノチップ１の価値及び色等を特定するための約２０ビットの下位ビットとカジノチップ１の固有番号及びカジノ場等を特定するための約２０ビットの上位ビットから成る。下位ビット及び上位ビットを例えば各２０ビットとすれば２２０≒１０４万８千種類のＩＤを識別できるため、カジノチップ１の価値，色，レイアウト等を特定したり、全世界のカジノで行われるルーレットゲームのカジノチップ１を識別するには十分である。なお、前記例で示した２０ビットの数は任意で構わなく、特に限定するものではない。
【００１２】
次に、本発明のカジノチップの不正防止監視システムにより不正の常時監視を行う手段を説明する。図６は本発明のカジノチップの不正防止監視システムによりルーレットゲームを行う場合のレイアウト周辺の実施系統図であり、レイアウト１６の右上部に超小型無線ＩＤタグチップ３及びアンテナ４を埋め込んだカジノチップ１がベットされた状態を示している。また、ＩＤ読み取り装置として、ＸＹのクロスポイントアクセスによるＩＤ読み取り方式とするため、レイアウト１６の上部にＸ側スキャンドライバ１０を配設し、左側にＹ側スキャンドライバ１３を配設し、各々制御装置１８に接続した状態を示している。また、計量装置として、レイアウト１６の場全体（ベットしない周辺部を除く）を半導体圧力センサー等による電子計量器（図示せず）とし、該電子計量器の出力信号を制御装置１８に接続する。更に制御装置１８は、レイアウト１６の近傍に配設された端末サーバ１９に接続され、該端末サーバ１９はＬＡＮ２０経由で上位の管理サーバ（図示せず）に接続されている。
【００１３】
ここでルーレットゲームを行う場合、各プレイヤーはレイアウト１６の場に１＄，５＄，１０＄等の価値を持ったカジノチップ１をベットすることにより開始される。そして、ディーラーがルーレット盤を廻してボールを投げ入れ、出目に応じた掛け率でカジノチップ１の払い出しが行われるが、前記ベットした時よりＩＤ読み取り装置によりカジノチップ１のＩＤ情報が常時読み取られ、計量装置によりベットされた全てのカジノチップ１の数量が計数される。
【００１４】
ＩＤ読み取り装置の構成及び動作としては、図４の本発明のカジノチップの不正防止監視システムにおけるカジノチップ検出用アンテナの構成図及び図５のＸ側送信アンテナ及びＹ側送信アンテナのクロスポイントにおけるフラックスの放射状態を示した図にあるように、Ｘ側スキャンドライバ１０のＸ側送信アンテナ１１よりスキャン電波を発信させ、Ｙ側スキャンドライバ１３のＹ側送信アンテナ１４よりスキャン電波を発信させると、ＸＹのクロスポイントにおいてレイアウト１６に垂直なフラックス１７による電波が発生する。この時、Ｘ側送信アンテナ１１に併設されたＸ側受信アンテナ１２及びＹ側送信アンテナ１４に併設されたＹ側受信アンテナ１５により前記クロスポイントにおけるフラックス１７による電波を受信すると、該クロスポイント上にカジノチップ１がベットされていると当該カジノチップ１が誘電体となりインピーダンスの変化により受信状態が変化するため、該クロスポイント上にカジノチップ１がベットされていると判断し、１枚乃至複数枚のカジノチップ１から送信されるＩＤ情報の読み取り動作を行う。該読み取り動作は、前記インピーダンスの変化によりカジノチップ１がベットされていると判断した箇所のみ行うことにより、高速且つ効率的に行うことができる。図６では、Ｘ側スキャンドライバ１０よりＸ１〜Ｘ１１までのＸ側送信アンテナ１１及びＸ側受信アンテナ１２がベット位置上に敷設され、Ｙ側スキャンドライバ１３よりＹ１〜Ｙ２７までのＹ側送信アンテナ１４及びＹ側受信アンテナ１５がベット位置上に敷設されており、カジノチップ１のＩＤ情報はＸ側スキャンドライバ１０のＸ１０ラインとＹ側スキャンドライバ１３のＹ３ラインのクロスポイントより読み取られることになる。なお、Ｘ側スキャンドライバ１０のＸ１〜Ｘ１１ラインとＹ側スキャンドライバ１３のＹ１〜Ｙ２７ラインの向きや数は任意で構わなく、特に限定するものではない。
【００１５】
カジノチップ１においては、上記フラックス１７による電波をアンテナ４で受信することにより整流回路６にて直流回路電源Ｖｄｄを生成してアクティブになった超小型無線ＩＤタグチップ３内の制御回路８がメモリ回路９よりＩＤ情報を読み出し、シリアルインターフェース回路７及びＲＦ回路５を経由しアンテナ４からＩＤ信号を発射する。そして、該ＩＤ信号を上記Ｘ側受信アンテナ１２及びＹ側受信アンテナ１５が受信し、制御装置１８にてＩＤ情報の読み取り処理が行われる。該読み取り処理においては、複数のカジノチップ１からのＩＤ情報から個々のカジノチップ１の情報を識別し、更にその数量を計数することができる。なお、超小型無線ＩＤタグチップ３の制御回路８において数パターンのスリップ機能を持たせることにより、該パターンに応じてＩＤ情報のディレーが発生するため、制御装置１８においてＩＤ情報が複数あった場合における読み取り処理が行い易くなる。
【００１６】
計量装置の構成及び動作としては、ベットしない周辺部を除いたレイアウト１６の場全体すなわち図６における２点鎖線で示した部分を半導体圧力センサー等による電子計量器すなわち電子はかり機構とする。そして、制御装置１８により計量された重量をカジノチップ１の１枚当りの重量で割ることによりベットされた全てのカジノチップ１の数量を計数することができる。
【００１７】
そして、該数量と上記ＩＤ情報から得られたカジノチップ１の数量との比較を行い、異なっている場合には偽造カジノチップ使用による不正が行われたと判断してディーラーに通知することにより不正防止を行うことができる。
【００１８】
また、端末サーバ１９にＣＤ−ＲやＤＶＤ−Ｒ等のＷＯＲＭ（追記）型記録媒体によりルーレットゲーム中におけるカジノチップ１のＩＤ情報や数量データを逐次記録するようにしておけば、不正行為の証拠として残るため後日のトラブル解決に役立つものである。
【００１９】
【発明の効果】
以上述べたように、本発明のカジノチップの不正防止監視システムによりルーレットゲームを行うようにすれば、レイアウトの場の裏面に設置したＩＤ読み取り装置によりベットされた全てのカジノチップのＩＤ情報を常時読み取り監視し、更にレイアウトの場の裏面に設置した計量装置によりベットされた全てのカジノチップの数量を計数することができる。そして、該数量と前記ＩＤ情報から得られたカジノチップの数量との比較を行うことにより、偽造カジノチップの検出が容易に行うことができる。このため、ルーレットゲーム中における偽造カジノチップの使用を即時検出して不正防止を行うことができるという絶大なる効果を奏する。
【図面の簡単な説明】
【図１】本発明のカジノチップの不正防止監視システムにおいて使用する不正検出手段を有したカジノチップの構成図である。
【図２】超小型無線ＩＤタグチップの回路ブロック図である。
【図３】超小型無線ＩＤタグチップのビット数及びビット内容を示した図である。
【図４】本発明のカジノチップの不正防止監視システムにおけるカジノチップ検出用アンテナの構成図である。
【図５】Ｘ側送信アンテナ及びＹ側送信アンテナのクロスポイントにおけるフラックスの放射状態を示した図である。
【図６】本発明のカジノチップの不正防止監視システムによりルーレットゲームを行う場合のレイアウト周辺の実施系統図である。
【符号の説明】
１　カジノチップ
２　グラスファイバー又は合成樹脂板
３　超小型無線ＩＤタグチップ
４　アンテナ
５　ＲＦ回路
６　整流回路
７　シリアルインターフェース回路
８　制御回路
９　メモリ回路
１０　Ｘ側スキャンドライバ
１１　Ｘ側送信アンテナ
１２　Ｘ側受信アンテナ
１３　Ｙ側スキャンドライバ
１４　Ｙ側送信アンテナ
１５　Ｙ側受信アンテナ
１６　レイアウト
１７　フラックス
１８　制御装置
１９　端末サーバ
２０　ＬＡＮ
【図１】
2004102953.tif 000003
【図２】
2004102953.tif 000004
【図３】
2004102953.tif 000005
【図４】
2004102953.tif 000006
【図５】
2004102953.tif 000007
【図６】
2004102953.tif 000008